(57)【要約】【課題】容易に設計・製造をすることができるとともに、見る人に煩わしさを与えずにみる角度に応じて少なくとも２種類の異なる像を表示させる可変表示構造および可変表示媒体を提供すること、およびそのような可変表示構造に用いる像パターン形成媒体を提供することを目的とする。【解決手段】可変表示構造１００は、３種類の像を分割して得られる線状帯１１が所定の規則で配列した像パターン形成層（像パターン形成媒体）１と、線状帯１１を遮る遮光帯２１を互いに一定の間隔を開けて配列させた遮光パターン配列層２と、実質的に透明な透明基板３とを有している。像パターン形成層（像パターン形成媒体）１は、３種類の像のそれぞれをほぼ同一幅の多数の線状帯１１に分割し、各像の線状帯１１を像の数に応じて飛び飛びに抽出して順次１本ずつ互い違いに隣接させて同一面上に１列に配列したものである。【選択図】  図１
2005055529.tif 000002
【特許請求の範囲】
【請求項１】
少なくとも２種類の異なる像を表示させる可変表示構造であって、
少なくとも２種類の像のそれぞれをほぼ同一幅の多数の線状帯に分割し、各像の線状帯を像の数に応じて飛び飛びに抽出して順次隣接させて同一面上に１列に配列した像パターンが形成された像パターン形成層と、
少なくとも１本の前記線状帯を遮る遮光帯が同一面上に１列に、かつ、同一の像から抽出した線状帯を遮るように互いに一定の間隔を開けて配列した遮光パターン配列層とを有し、
前記像パターン形成層と前記遮光パターン配列層とは、所定の距離を隔てて、ほぼ平行に固定されて用いられ、
前記遮光パターン配列層の前記像パターン形成層に対向する面とは反対側から見た際に、遮光帯と遮光帯との間を介して見える前記像パターン形成層上の像が、前記像パターン形成層を見る角度に応じて変化することを特徴とする可変表示構造。
【請求項２】
隣接する前記遮光帯の間隔は、１本の前記線状帯の幅とほぼ等しい請求項１に記載の可変表示構造。
【請求項３】
前記像パターン形成層上の前記像の数をｎ、前記遮光帯の幅をａ、隣接する前記遮光帯同士の間隔をｃとしたとき、ｎ≦ａ／ｃ＋１の関係を満足する請求項１または２に記載の可変表示構造。
【請求項４】
前記像パターン形成層と前記遮光パターン配列層との距離をＬ、前記遮光帯の幅をａ、隣接する前記遮光帯同士の間隔をｃとしたとき、０．２≦Ｌ／（ａ＋ｃ）≦５の関係を満足する請求項１ないし３のいずれかに記載の可変表示構造。
【請求項５】
前記像パターン形成層は、シート状または板状の媒体上に形成されたものである請求項１ないし４のいずれかに記載の可変表示構造。
【請求項６】
前記遮光パターン配列層は、シート状または板状の媒体上に形成されたものである請求項１ないし５のいずれかに記載の可変表示構造。
【請求項７】
前記像パターン形成層および前記遮光パターン配列層を板状の媒体にそれぞれ形成し、スペーサを介して互いの媒体を固定して用いる請求項１ないし６のいずれかに記載の可変表示構造。
【請求項８】
少なくとも２種類の異なる像を表示させる可変表示構造であって、
少なくとも２種類の像のそれぞれをほぼ同一幅の多数の線状帯に分割し、各像の線状帯を像の数に応じて飛び飛びに抽出して順次隣接させて同一面上に１列に配列した像パターン形成が形成された像パターン形成層と、
少なくとも１本の前記線状帯を遮る遮光帯が同一面上に１列に、かつ、同一の像から抽出された線状帯を遮るように互いに一定の間隔を開けて配列した遮光パターン配列層とを有し、
前記像パターン形成層と前記遮光パターン配列層とは、所定の距離を隔てて、ほぼ平行に固定されており、
前記遮光パターン配列層の前記像パターン形成層に対向する面とは反対側から見た際に、遮光帯と遮光帯との間を介して見える前記像パターン形成層上の像が、前記像パターン形成層を見る角度に応じて変化することを特徴とする可変表示媒体。
【請求項９】
前記像パターン形成層と前記遮光パターン配列層との間に、所定の厚さの透明基板を有し、
前記透明基板の一方の面に前記像パターン形成層を有し、対向する他方の面に前記遮光パターン配列層を有する請求項８に記載の可変表示媒体。
【請求項１０】
少なくとも２種類の像のそれぞれを同一幅の多数の線状帯に分割し、各像の線状帯を像の数に応じて飛び飛びに抽出して順次隣接させて同一面上に１列に配列した像パターンが形成された像パターン形成層を有し、
少なくとも１本の前記線状帯を遮る遮光帯が同一面上に１列に、かつ、同一の像から抽出された線状帯を遮るように互いに一定の間隔を開けて配列した遮光パターン配列層と共に用いられ、
前記遮光パターン配列層と所定の距離を隔てて、ほぼ平行に固定されており、前記遮光パターン配列層の前記像パターン形成層に対向する面とは反対側から見た際に、遮光帯と遮光帯との間を介して見える前記像パターン形成層上の像が、前記像パターン形成層を見る角度に応じて変化することを特徴とする像パターン形成媒体。
【発明の詳細な説明】
【０００１】
【発明の属する技術分野】
本発明は、可変表示構造、可変表示媒体および像パターン形成媒体に関し、さらに詳しくは、印刷面に対する角度に応じて少なくとも２種類の異なる像を表示させる可変表示構造、その構造を有する可変表示媒体、および可変表示のための像を有する像パターン形成媒体に関する。
【０００２】
【従来の技術】
従来から印刷物には、複数の像を表示するように加工を施したものが知られている。
【０００３】
例えば、この種の印刷物としては、１枚のシート上に複数の像についての帯状圧縮画像を印刷した１枚のシートと、このシート上の帯状圧縮像のそれぞれを視線角度に応じて拡大して表示するレンチキュラーレンズ群とによって構成する構造が知られている（例えば、特許文献１）。
【０００４】
また、コード化された複数の絵柄を配列したパネルと、このパネル上のコード化された絵柄の中の１つの絵柄以外の絵柄を隠すシャッターパネルとによって構成する構造も知られている（例えば、特許文献２）。
【０００５】
しかしながら、上述した特許文献１に記載の印刷物の構造では、レンチキュラーレンズを利用しているため、焦点が合うようにシートとレンチキュラーレンズを合わせ込む必要があり、レンズの焦点距離の設計やその製造も複雑である。
【０００６】
また、特許文献２に記載の印刷物の構造では、シャッターパネルを手動で動かす必要があるため、見る人に煩わしさを与えてしまう。この煩わしさは、手動ではなく動力によってシャッターパネルを動かす構造とすることで解決できるが、しかしながら、比較的大型のものになると、その構造が複雑化するとともに動力源が必要であるため、小型化・低コスト化を図るのが困難であった。
【０００７】
【特許文献１】
特開平９−２３６８７５号公報
【特許文献２】
米国特許第５，９０１，４８４
【０００８】
【発明が解決しようとする課題】
本発明は、容易に設計・製造をすることができるとともに、見る人に煩わしさを与えずにみる角度に応じて少なくとも２種類の異なる像を表示させる可変表示構造および可変表示媒体を提供すること、およびそのような可変表示構造に用いる像パターン形成媒体を提供することにある。
【０００９】
【課題を解決するための手段】
このような目的は、下記（１）〜（１０）の本発明により達成される。
【００１０】
（１）  少なくとも２種類の異なる像を表示させる可変表示構造であって、
少なくとも２種類の像のそれぞれをほぼ同一幅の多数の線状帯に分割し、各像の線状帯を像の数に応じて飛び飛びに抽出して順次隣接させて同一面上に１列に配列した像パターンが形成された像パターン形成層と、
少なくとも１本の前記線状帯を遮る遮光帯が同一面上に１列に、かつ、同一の像から抽出した線状帯を遮るように互いに一定の間隔を開けて配列した遮光パターン配列層とを有し、
前記像パターン形成層と前記遮光パターン配列層とは、所定の距離を隔てて、ほぼ平行に固定されて用いられ、
前記遮光パターン配列層の前記像パターン形成層に対向する面とは反対側から見た際に、遮光帯と遮光帯との間を介して見える前記像パターン形成層上の像が、前記像パターン形成層を見る角度に応じて変化することを特徴とする可変表示構造。
【００１１】
（２）  隣接する前記遮光帯の間隔は、１本の前記線状帯の幅とほぼ等しい上記（１）に記載の可変表示構造。
【００１２】
（３）  前記像パターン形成層上の前記像の数をｎ、前記遮光帯の幅をａ、隣接する前記遮光帯同士の間隔をｃとしたとき、ｎ≦ａ／ｃ＋１の関係を満足する上記（１）または（２）に記載の可変表示構造。
【００１３】
（４）  前記像パターン形成層と前記遮光パターン配列層との距離をＬ、前記遮光帯の幅をａ、隣接する前記遮光帯同士の間隔をｃとしたとき、０．２≦Ｌ／（ａ＋ｃ）≦５の関係を満足する上記（１）ないし（３）のいずれかに記載の可変表示構造。
【００１４】
（５）  前記像パターン形成層は、シート状または板状の媒体上に形成されたものである上記（１）ないし（４）のいずれかに記載の可変表示構造。
【００１５】
（６）  前記遮光パターン配列層は、シート状または板状の媒体上に形成されたものである上記（１）ないし（５）のいずれかに記載の可変表示構造。
【００１６】
（７）  前記像パターン形成層および前記遮光パターン配列層を板状の媒体にそれぞれ形成し、スペーサを介して互いの媒体を固定して用いる上記（１）ないし（６）のいずれかに記載の可変表示構造。
【００１７】
（８）  少なくとも２種類の異なる像を表示させる可変表示構造であって、
少なくとも２種類の像のそれぞれをほぼ同一幅の多数の線状帯に分割し、各像の線状帯を像の数に応じて飛び飛びに抽出して順次隣接させて同一面上に１列に配列した像パターン形成が形成された像パターン形成層と、
少なくとも１本の前記線状帯を遮る遮光帯が同一面上に１列に、かつ、同一の像から抽出された線状帯を遮るように互いに一定の間隔を開けて配列した遮光パターン配列層とを有し、
前記像パターン形成層と前記遮光パターン配列層とは、所定の距離を隔てて、ほぼ平行に固定されており、
前記遮光パターン配列層の前記像パターン形成層に対向する面とは反対側から見た際に、遮光帯と遮光帯との間を介して見える前記像パターン形成層上の像が、前記像パターン形成層を見る角度に応じて変化することを特徴とする可変表示媒体。
【００１８】
（９）  前記像パターン形成層と前記遮光パターン配列層との間に、所定の厚さの透明基板を有し、
前記透明基板の一方の面に前記像パターン形成層を有し、対向する他方の面に前記遮光パターン配列層を有する上記（８）に記載の可変表示媒体。
【００１９】
（１０）  少なくとも２種類の像のそれぞれを同一幅の多数の線状帯に分割し、各像の線状帯を像の数に応じて飛び飛びに抽出して順次隣接させて同一面上に１列に配列した像パターンが形成された像パターン形成層を有し、
少なくとも１本の前記線状帯を遮る遮光帯が同一面上に１列に、かつ、同一の像から抽出された線状帯を遮るように互いに一定の間隔を開けて配列した遮光パターン配列層と共に用いられ、
前記遮光パターン配列層と所定の距離を隔てて、ほぼ平行に固定されており、
前記遮光パターン配列層の前記像パターン形成層に対向する面とは反対側から見た際に、遮光帯と遮光帯との間を介して見える前記像パターン形成層上の像が、前記像パターン形成層を見る角度に応じて変化することを特徴とする像パターン形成媒体。
【００２０】
【発明の実施の形態】
以下、本発明の好適実施例を添付図面に基づいて詳細に説明する。
【００２１】
図１は、本発明の可変表示構造の一例を模式的に示す断面図である。
この可変表示構造（可変構造媒体）１００は、後に詳述するように、３種類の像を分割して得られる線状帯１１が所定の規則で配列した像パターンを形成した像パターン形成層（像パターン形成媒体）１と、線状帯１１を遮る遮光帯２１を互いに一定の間隔を開けて配列させた遮光パターン配列層２と、実質的に透明な透明基板３とを有している。
【００２２】
本実施形態の可変表示構造１００は、遮光パターン配列層２の像パターン形成層１に対向する面とは反対側から見た際に、見る角度によって、主に、図２〜４に示すような像Ａ、Ｂ、Ｃが確認されるものである。
【００２３】
本実施形態において、像パターン形成層（像パターン形成媒体）１は、３種類の像のそれぞれをほぼ同一幅の多数の線状帯１１に分割し、各像の線状帯１１を像の数に応じて飛び飛びに抽出して順次１本ずつ互い違いに隣接させて同一面上に１列に配列したものである。すなわち、本実施形態の可変表示構造１００は、像Ａ、Ｂ、Ｃの３通りの像を表示することができるものであり、像パターン形成層１は、図２で示す像Ａを構成するＡ１、Ａ２、…Ａ１２の線状帯１１と、図３中の像Ｂを構成するＢ１、Ｂ２、…Ｂ１２の線状帯１１と、図４中の像Ｃを構成するＣ１、Ｃ２、…Ｃ１２の線状帯１１とを有し、図５に示すように、前述した線状帯１１が互いに隣接するように、Ａ１、Ｂ１、Ｃ１、Ａ２、Ｂ２、Ｃ２、…Ａ１２、Ｂ１２、Ｃ１２の順に所定の方向（図示の構成では、図中右から左の方向）に沿って、規則正しく配列したものである。
【００２４】
このような構成の像パターン形成層１は、後述する遮光パターン配列層２と所定の距離を隔てて、ほぼ平行に固定されて用いられることにより、遮光パターン配列層２の像パターン形成層１に対向する面とは反対側から見た際に、見る角度によって、異なる像を視認することができるという視覚効果が得られるものとなる。
【００２５】
遮光パターン配列層２は、図示の構成のように、２本分の線状帯１１の幅とほぼ同一幅の遮光帯２１を複数有している。このような遮光帯２１は、互いにほぼ一定の間隔を開けて配列し、隣接する遮光帯２１同士の間に開口部２２を形成している。なお、図示の構成では、遮光帯２１の幅が、２本分の線状帯１１の幅とほぼ同一のものであるが、これに限定されず、遮光パターン配列層２上の像の数によって、適宜、遮光帯２１の幅は増減されるものである。
【００２６】
隣接する遮光帯２１の間隔ｃ（開口部２２の幅）は、像パターン形成層１の線状帯１１の幅と、ほぼ同一なものとなっている。
【００２７】
遮光帯２１の幅をａ、隣接する遮光帯２１同士の間隔をｃ、像パターン形成層上の像の数をｎとしたとき、ｎ≦ａ／ｃ＋１の関係を満足するのが好ましい。このような関係を満足することにより、より好適に複数の像を表示することができ、特に優れた視覚効果を発揮することができる。
【００２８】
像パターン形成層１と遮光パターン配列層２との間隔をＬ［ｍｍ］、遮光帯２１の幅をａ［ｍｍ］、隣接する遮光帯２１の間隔をｃ［ｍｍ］としたとき、０．２≦Ｌ／（ａ＋ｃ）≦５であることが好ましく、０．４≦Ｌ／（ａ＋ｃ）≦３であることがより好ましく、０．５≦Ｌ／（ａ＋ｃ）≦２であることがさらに好ましい。Ｌ／（ａ＋ｃ）が０．２より小さいと、遮光帯２１に隠れて観察が困難となる線状帯１１が生じるおそれがある。また、Ｌ／（ａ＋ｃ）が５より大きいと、観察位置によっては、同一の像から分割した線状帯１１が複数観察される場合があり、連続的に形状が変化するような視覚効果が十分に得られないおそれがある。
【００２９】
上述したような像パターン形成層１と遮光パターン配列層２とは、図１に示すように、それぞれ透明基板３を介して、対向するように形成されている。すなわち、透明基板３の一方の面に、像パターン形成層１が形成され、対向する他方の面に遮光パターン配列層２が形成されている。
【００３０】
透明基板３は、像パターン形成層１と遮光パターン配列層２との間隔を、所定の距離とする機能を有しており、実質的に透明な材質で構成されたものであれば、いかなる材質のもので構成されたものであってもよい。このような実質的に透明な材質としては、例えば、ガラス、アクリル樹脂、塩化ビニル樹脂、ポリエステル樹脂、ポリカーボネート樹脂等が挙げられる。なお、用途に応じていずれの硬さのものを用いてもよい。なお、実質的に透明とは、像パターン形成層１の色図柄等が確認できればよく、透明または半透明を意味する。
【００３１】
以上説明したような像パターン形成層１と遮光パターン配列層２は、例えば、各種プリンターによる印刷、凸版印刷等の各種印刷技術によって、直接透明基板３上に形成したり、着色シートや印刷シートから切り出したものを貼り付けることによって透明基板３に形成することができる。
【００３２】
次に、上述したような可変表示構造を有する可変表示媒体が、複数の像を表示する原理・作用を説明する。
【００３３】
図８は、本発明の可変表示媒体の原理を説明する概念図である。なお、図中では、説明をわかりやすくするため、上述した透明基板３を省略して描いてある。また、図中、像パターン形成層１と遮光パターン配列層２との間の距離をＬとし、観察点（人）Ｘが遮光パターン配列層２から距離Ｚだけ離れた位置を矢印α方向（図中左）に移動する場合を説明する。
【００３４】
観察点Ｘが位置Ｙ１に来ると、図４に示すように、像Ｃを構成する線状帯１１が観察点Ｘに対して遮光帯２１の間から露出する。このとき、観察点Ｘからは、像Ｃを構成する線状帯１１の輪郭を認識することができ、遮光帯２１に覆われた領域で像Ｃを構成する線状帯１１同士を結び付け、三角形が表示されているように認知される。
【００３５】
次に、観察点Ｘが位置Ｙ２に来ると、図２に示すように、像Ａを構成する線状帯１１が観察点Ｘに対して遮光帯２１の間から露出する。このとき、観察点Ｘからは、像Ａを構成する線状帯１１の輪郭を認識することができ、遮光帯２１に覆われた領域で像Ａを構成する線状帯１１同士を結び付け、四角が表示されているように認知される。
【００３６】
同様に、観察点Ｘが位置Ｙ３に来ると、図３に示すように、像Ｂを構成する線状帯１１が観察点Ｘに対して遮光帯２１の間から露出する。このとき、観察点Ｘは、像Ｂを構成する線状帯１１の輪郭を認識することができ、遮光帯２１に覆われた領域で像Ｂを構成する線状帯１１同士を結び付け、円が表示されているように認知される。
【００３７】
ところで、位置Ｙ１、Ｙ２、Ｙ３のそれぞれの間では、隣接する２種類の像の線状帯１１が混ざって露出してしまう。しかし、観察点Ｘを所定の速度で移動させた場合、円や四角や三角といった意味のある情報をすばやく認知され、混ざっているところでもいずれかの形状が優先して認識される。
【００３８】
以上、本発明の好適な実施形態について説明したが、本発明はこれに限定されるものではなく、各部材（各部）の構成は、同様の機能を有する任意のものに置換すること、もしくは、任意の構成を付加することもできる。
【００３９】
例えば、前述した実施形態では、透明基板３の表面に、像パターン形成層１と遮光パターン配列層２とを直接形成したものについて説明したが、これに限定されず、例えば、実質的に透明なシート状部材４の表面に、像パターン形成層１を形成させたものと、別のシート状部材４の表面に、遮光パターン配列層２を形成させたものとを、それぞれ透明基板３の表面に、互いに対向するように貼着させたものであってもよい（図６参照）。また、像パターン形成層１と遮光パターン配列層２のうち、一方が、直接透明基板３上に形成され、他方が前述のようなシート状部材４上に形成されたものであってもよい。
【００４０】
また、前述した実施形態では、３種類の像を表示できるものについて説明したが、これに限定されず、２種類であってもよいし、４種類以上であってもよい。
【００４１】
また、本発明の可変表示構造は、実質的に透明な板状部材５の表面に像パターン形成層１を形成させたものと、別の板状部材５の表面に遮光パターン配列層２を形成させたものとを、ほぼ平行に所定の間隔で固定して用いられるものであってもよい（図７参照）。なお、像パターン形成層１と遮光パターン配列層２とがそれぞれ形成された２枚の板状部材５は、例えば、図７に示すように、スペーサ６を介してネジ止め等で固定されるものであってもよいし、上述したような透明基板３に接着剤等を用いて、対向するように接着されるものであってもよい。図７に示すようなものの場合、例えば、スペーサ６の長さを調節することによって、像パターン形成層１と遮光パターン配列層２との間隔を調節することができる。また、スペーサ６の代わりに、例えば、ボルトナットで、前記間隔を連続的に調節可能な調節手段を有するものであってもよい。
【００４２】
また、前述した実施形態では、開口部２２の幅が、線状帯１１の幅とほぼ同じものとして説明したが、これに限定されず、開口部２２の幅は、線状帯１１の幅よりも小さいものであってもよい。
【００４３】
また、前述した実施形態では、像パターンとして四角、円、三角といった形状の場合を説明したが、像パターンはこのようなものに限定されず、これら以外の絵柄、図形、文字、記号、模様、写真等のいずれか一つまたはこれらの組み合わせであってもよい。また、何も表示されない無地の状態のものも、一つの像パターンとしてもよい。
【００４４】
また、前述した実施形態では、像パターン形成層１と遮光パターン配列層２とがほぼ平行であるものについて説明したが、これに限定されず、像パターン形成層１と遮光パターン配列層２との間隔がほぼ一定に保たれるものであれば、曲面上に設置されるものであってもよい。
【００４５】
また、人が移動して可変表示媒体を見る場合について説明したが、これに限定されない。例えば、線路脇や道路脇に所定面積の可変表示媒体を設置しておけば、常に、所定距離を隔てて人が可変表示媒体を見ることになるため、設計者の意図どおりの絵柄等の像を人に見せることができる。
【００４６】
【実施例】
（実施例１）
３つの像（Ａ，Ｂ，Ｃ）を印刷したシートを用意し、それぞれを４ｍｍ幅にそれぞれを３６分割しそれぞれ３本おきに抽出して線状帯（Ａ１，Ａ２…Ｃ１１，Ｃ１２）を作成し、これら線状帯を厚さ２０ｍｍの透明アクリル樹脂板（透明基板３）の一方の面に図１および図５に示すように順次隣接した状態で配列し像パターン形成層１を形成し、一方、透明基板３の反対面に８ｍｍ幅の遮光帯（黒色インクによる印刷）２１を４ｍｍの間隔（開口部２２）を空けて配列し遮光パターン配列層２を形成し、図１に示すような本発明の可変表示媒体を製造した。
【００４７】
遮光パターン配列層２側から約１ｍ（Ｚ）離れた位置から本発明の可変表示媒体１００を移動（図１中矢印α方向）しながら観察したところ、３つの像が次々に視認された（図２ないし図４参照）。
【００４８】
（実施例２）
３つの像（Ａ，Ｂ，Ｃ）を印刷したシートを用意し、それぞれを４ｍｍ幅にそれぞれを３６分割しそれぞれ３本おきに抽出して線状帯（Ａ１，Ａ２…Ｃ１１，Ｃ１２）を作成し、これら線状帯１１を図５に示すように順次隣接した状態で厚さ１００μｍのポリエチレンテレフタレートフィルム（シート状部材４）上に配列した像パターン形成層１を形成した。
【００４９】
一方、８ｍｍ幅の遮光帯（黒色インクによる印刷）２１を、別途厚さ１００μｍのポリエチレンテレフタレートフィルム（シート状部材４）上に４ｍｍの間隔（開口部２２）を空けて配列した遮光パターン配列層２を形成した。
【００５０】
次に、厚さ２０ｍｍの透明アクリル樹脂板（透明基板３）の一方の面に像パターン形成層１を形成したシート状部材４を反対面に遮光パターン配列層２を形成したシート状部材４をそれぞれ積層し、図６に示すような本発明の可変表示媒体１００を製造した。
【００５１】
遮光パターン配列層２側から１ｍ（Ｚ）離れた位置から本発明の可変表示媒体１００を移動（図６中矢印α方向）しながら観察したところ、３つの像が次々に視認された（図２ないし図４参照）。
【００５２】
（実施例３）
実施例２と同様に、像パターン形成層１と遮光パターン配列層をそれぞれ厚さ３ｍｍのポリカーボネート樹脂板（板状部材５）上に形成した。
【００５３】
次に、厚さ１５ｍｍのスペーサ６を介してそれぞれの板状部材を接着し、図７に示すような本発明の可変表示媒体１００を製造した。
【００５４】
遮光パターン配列層２側から約１ｍ（Ｚ）離れた位置から本発明の可変表示媒体１００を移動（図７中矢印α方向）しながら観察したところ、３つの像が次々に視認された（図２ないし図４参照）。
【００５５】
【発明の効果】
以上述べたように、本発明によれば、人の移動によって像が可変するため、見る人に煩わしさを与えることもなく設計者の意図どおりの絵柄等の像を人に見せることができる効果が得られる。そのため、店舗のショーウィンドウに設置することによって、広告効果を狙うことも可能になる。また、印刷技術や貼着技術によって製造することができるため、複雑な像であっても、容易に設計・製造をすることができる。
【００５６】
【図面の簡単な説明】
【図１】本発明の可変表示構造（可変表示媒体）の一例を模式的に示す断面図である。
【図２】本発明の可変表示構造の遮光パターン層側から見た平面図である。
【図３】本発明の可変表示構造の遮光パターン層側から見た平面図である。
【図４】本発明の可変表示構造の遮光パターン層側から見た平面図である。
【図５】像パターン形成層（像パターン形成媒体）を説明する平面図である。
【図６】本発明の可変表示構造（可変表示媒体）の他の一例を模式的に示す断面図である。
【図７】本発明の可変表示構造（可変表示媒体）の更に他の一例を模式的に示す断面図である。
【図８】本発明の可変表示媒体の原理を説明する概念図である。
【符号の説明】
１          像パターン形成層
１１        線状帯
２          遮光パターン配列層
２１        遮光帯
２２        開口部
３          透明基板
４          シート状部材
５          板状部材
６          スペーサ
１００      可変表示構造（可変表示媒体）
【図１】
2005055529.tif 000003
【図２】
2005055529.tif 000004
【図３】
2005055529.tif 000005
【図４】
2005055529.tif 000006
【図５】
2005055529.tif 000007
【図６】
2005055529.tif 000008
【図７】
2005055529.tif 000009
【図８】
2005055529.tif 000010